(57)【要約】【課題】ロール隙間変更時の確認作業を迅速に行うことを可能ならしめる条鋼圧延用の圧延機を提供する。【解決手段】被圧延材の移動方向に向って順に、水平ロールスタンド１、垂直ロールスタンド２、水平ロールスタンド３、垂直ロールスタンド４が搭載され、これらロールスタンド１，２，３，４を、圧延を行うパスラインＰＬ位置と、パスラインＰＬから横方向に外れたオフライン位置との範囲で往復移動させるスタンドシフト台車５を備えた条鋼圧延用の圧延機Ｍにおいて、前記垂直ロールスタンド２，４を、スタンドシフト台車５に固定・固定解除自在に設置されてなるスライドベース６を介して、圧延を行うパスラインＰＬ位置と、パスラインＰＬと直交する横方向のオフライン位置との間で個別に往復移動させるスタンド個別引出し装置を設ける。【選択図】図２
2008200717.tif 000002
【特許請求の範囲】
【請求項１】
圧延ロールを有する複数のロールスタンドが搭載され、これらロールスタンドを、圧延を行うパスライン位置と、このパスライン位置から外れたオフライン位置との範囲で往復移動させるスタンドシフト台車を備えた条鋼圧延用の圧延機において、前記複数のロールスタンドは少なくとも第１ロールスタンドと第２ロールスタンドとからなり、これら第１ロールスタンドと第２ロールスタンドのうち何れか一方のロールスタンドは固定・固定解除自在なスライドベースを介して前記スタンドシフト台車にスライド可能に支持されると共に、スタンド個別引出し装置により圧延を行うパスライン位置と、このパスライン位置から外れたオフライン位置との間で往復移動されるように構成されてなることを特徴とする条鋼圧延用の圧延機。
【請求項２】
前記スタンド個別引出し装置は、前記一方のロールスタンドを引出すときには、前記スタンドシフト台車の移動に支障にならない低位置から上昇されるように構成されてなることを特徴とする請求項１に記載の条鋼圧延用の圧延機。
【請求項３】
圧延ロールを有する複数のロールスタンドが搭載され、これらロールスタンドを、圧延を行うパスライン位置と、このパスライン位置から外れたオフライン位置との範囲で往復移動させるスタンドシフト台車を備えた条鋼圧延用の圧延機において、前記複数のロールスタンドは少なくとも第１ロールスタンドと第２ロールスタンドとからなり、これら第１ロールスタンドと第２ロールスタンドのうち何れか一方のロールスタンドは固定・固定解除自在なスライドベースを介して前記スタンドシフト台車にスライド可能に支持されると共に、設置・撤去自在なスタンド個別引出し装置により圧延を行うパスライン位置と、このパスライン位置から外れたオフライン位置との間で往復移動されるように構成されてなることを特徴とする条鋼圧延用の圧延機。
【発明の詳細な説明】
【技術分野】
【０００１】
本発明は、複数のロールスタンドがスタンドシフト台車に搭載されてなる条鋼圧延用の圧延機の改善に係り、より詳しくは、ロール隙間変更時の確認作業を迅速に行うことを可能ならしめるようにした条鋼圧延用の圧延機に関するものである。
【背景技術】
【０００２】
パスラインと直交する横方向のオフライン位置に移動される櫛歯状のスタンドシフト台車に複数のロールスタンド、より詳しくは、水平ミル用の水平ロールスタンドと垂直ミル用の垂直ロールスタンドとが交互に搭載されてなる条鋼圧延用の圧延機がある。従来例に係る条鋼圧延用の圧延機としては、例えば後述する構成になるものが公知である。以下、この従来例に係る条鋼圧延用の圧延機を、添付図面を順次参照しながら説明する。図７は従来例に係る条鋼圧延用の圧延機の断面正面図、図８は従来例に係る条鋼圧延用の圧延機の一部破断側面図である。
【０００３】
被圧延材５１が移動するパスライン５２方向に水平ロールスタンド５３，５４と垂直ロールスタンド５５，５６とが交互に配置されている。前記水平ロールスタンド５３，５４は上下一対の水平ロール５７，５８を有し、これら水平ロール５７，５８はタイロッド５９，６０で結合されてなる軸受ブロック６１，６２によって回転自在に支持され、かつタイロッド５９，６０に支持された圧下装置６３によって間隔調整可能に構成されている。
前記垂直ロールスタンド５５，５６は一対の垂直ロール６５，６６を有し、タイロッド６７，６８、軸受ブロック６９，７０、圧下装置７１，７２などにより水平ロールスタンド５３，５４と同様に構成されている。
【０００４】
各ロールスタンド５３，５４，５５，５６は、ベースとパスライン５２の左右両側位置でベースから上方に突出するサポート部７４とから形成されてなる架台（以下、スタンドシフト台車という。）７３に取付けられている。前記サポート部７４は、パスライン５２の方向に５個ずつ設けられることによりスタンドシフト台車７３は櫛歯状とされ、隣り合う一対のサポート部７４の間のそれぞれにスタンド収容部７５が形成されている。スタンド収容部７５は４個のサポート部７４により取り囲まれた空間であり、これらスタンド収容部７５に各ロールスタンド５３，５４，５５，５６が上方から挿入されると共に、ベースの上に固定されている。この場合、各ロールスタンド５３，５４，５５，５６の挿入に際しては、サポート部７４が案内ガイドとして機能するようになっている。
【０００５】
スタンドシフト台車７３のベースの下部側あって、かつ進退方向の前後に、床側に敷設された案内レール７７を転動する３個ずつの車輪７６が設けられている。そして、このスタンドシフト台車７３は移動用の油圧シリンダ（シフトシリンダ）７８によりパスライン５２と直交する横方向のオフライン位置との間で往復移動されるように構成されている。
また、このスタンドシフト台車７３は、クランプ装置８１のクランプ部材８２がパスライン５２方向の両側に形成されてなる傾斜した受面８３に当接することにより、パスライン５２位置で固定されるように構成されている。
【０００６】
この従来例に係る圧延機５１によれば、各ロールスタンド５３，５４，５５，５６がスタンドシフト台車７３のベースに載置固定され、圧延ロールの軸受ブロックがタイロッドで連結されることにより、サポート部は荷重を受けることがないから高強度にする必要がなく、パスライン方向の寸法を大きくする必要がない。また、スタンドシフト台車７３をパスラインの横方向に移動させることにより、各ロールスタンド５３，５４，５５，５６も一挙に移動するため、各ロールスタンド５３，５４，５５，５６への配管類は、その配管源からスタンドシフト台車まで単一のものとすることができ、配管設置スペースを小さくすることができるので、圧延機のコンパクト化を図ることができる。
【０００７】
また、各ロールスタンドの横方向への移動に際しては、サポート部による支持の解除や再支持を各ロールスタンド毎に行う必要がないので、交換や保守作業の迅速化が図れる。
また、ロールスタンドをパスラインの横方向に移動させ、クレーン等でスタンド収容部から吊上げる際、ロールスタンドはサポート部に支持されるものではないため、容易に分解するようなことがなく、また、スタンド収容部に上方から挿入する際はサポート部が案内ガイドとして機能するため、挿入作業の迅速化が図れる。さらに、被圧延材に咬止まりが生じた場合、圧延機の前後で被圧延材を切断すれば、スタンドシフト台車をパスラインの横方向への移動で被圧延材をロールスタンドと共に移動させることができる。そのため、作業スペースに余裕のある位置でロールスタンド間の被圧延材を切断することができ、被圧延材の切断作業の容易化を図ることができる（例えば、特許文献１参照。）。
【特許文献１】実公平１−２０００１号公報
【発明の開示】
【発明が解決しようとする課題】
【０００８】
上記従来例に係る圧延機によれば、上記のとおり、複数のロールスタンドを一括してパスライン位置とオフライン位置との間をシフトさせる構成にすることにより圧延機のコンパクト化が図ることができる。また、ロールスタンドのスタンド収容部への挿入作業の迅速化や被圧延材に咬止まりが生じた場合における被圧延材の切断作業の容易化を図ることができるから極めて優れていると考えられる。しかしながら、このような従来例に係る圧延機にあっても、後述するような解決すべき課題がある。
【０００９】
即ち、条鋼圧延用の圧延機では、被圧延材の圧延サイズを変更する場合は、中間、仕上列はカリバを変更するが、粗列はなるべく各サイズ共通のパススケジュールとしている。
しかしながら、大幅なサイズ変更がある場合には、ロール隙間の調整により被圧延材の寸法を変える必要がある。ロール隙間の設定を変更する場合、作業者は実測（カリバ摩耗分を考慮してロール隙間実測する必要がある。）によりロール隙間を確認し、さらに圧延の安定化・品質向上のためにガイドの微調整を行う必要がある。
【００１０】
ところが、従来例に係る条鋼圧延用の圧延機の場合には、複数のロールスタンドを一括してパスラインからオフラインに移動させると共に、各ロールスタンドをスタンド収容部から吊り出さなければ、ロール隙間の設定変更作業のためにロール隙間の実測を行うことができない。従って、ロール隙間の設定変更作業を頻繁に行う必要がある場合には、ロール隙間の設定変更作業のロスタイムが多くなるという問題がある。
【００１１】
従って、本発明の目的は、ロール隙間変更時の確認作業を迅速に行うことを可能ならしめる条鋼圧延用の圧延機を提供することである。
【課題を解決するための手段】
【００１２】
上記課題を解決するために、本発明の請求項１に係る条鋼圧延用の圧延機が採用した手段の要旨は、圧延ロールを有する複数のロールスタンドが搭載され、これらロールスタンドを、圧延を行うパスライン位置と、このパスライン位置から外れたオフライン位置との範囲で往復移動させるスタンドシフト台車を備えた条鋼圧延用の圧延機において、前記複数のロールスタンドは少なくとも第１ロールスタンドと第２ロールスタンドとからなり、これら第１ロールスタンドと第２ロールスタンドのうち何れか一方のロールスタンドは固定・固定解除自在なスライドベースを介して前記スタンドシフト台車にスライド可能に支持されると共に、スタンド個別引出し装置により圧延を行うパスライン位置と、圧延を行うパスライン位置から外れたオフライン位置との間で往復移動されるように構成されてなることを特徴とするものである。
【００１３】
本発明の請求項２に係る条鋼圧延用の圧延機が採用した手段の要旨は、請求項１に記載の条鋼圧延用の圧延機において、前記スタンド個別引出し装置は、前記一方のロールスタンドを引出すときには、前記スタンドシフト台車の移動に支障にならない低位置から上昇されるように構成されてなることを特徴とするものである。
【００１４】
本発明の請求項３に係る条鋼圧延用の圧延機が採用した手段の要旨は、圧延ロールを有する複数のロールスタンドが搭載され、これらロールスタンドを、圧延を行うパスライン位置と、このパスライン位置から外れたオフライン位置との範囲で往復移動させるスタンドシフト台車を備えた条鋼圧延用の圧延機において、前記複数のロールスタンドは少なくとも第１ロールスタンドと第２ロールスタンドとからなり、これら第１ロールスタンドと第２ロールスタンドのうち何れか一方のロールスタンドは固定・固定解除自在なスライドベースを介して前記スタンドシフト台車にスライド可能に支持されると共に、設置・撤去自在なスタンド個別引出し装置により圧延を行うパスライン位置と、このパスライン位置から外れたオフライン位置との間で往復移動されるように構成されてなることを特徴とするものである。
【発明の効果】
【００１５】
本発明の請求項１または２に係る条鋼圧延用の圧延機では、複数のロールスタンドは少なくとも第１ロールスタンドと第２ロールスタンドとからなり、これら第１ロールスタンドと第２ロールスタンドのうち何れか一方のロールスタンドはスライドベースを介してスタンドシフト台車にスライド可能に支持されると共に、設置・撤去自在なスタンド個別引出し装置により、圧延を行うパスライン位置と、このパスライン位置から外れたオフライン位置との間で往復移動されるように構成されている。
【００１６】
従って、本発明の請求項１または２に係る条鋼圧延用の圧延機によれば、従来例に係る圧延機の場合と同様に、前記スタンドシフト台車を移動させることにより、各ロールスタンドを一括してパスライン位置からオフライン位置に移動させることができる。これに加えて、第１ロールスタンドと第２ロールスタンドのうち何れか一方のロールスタンドをスタンド個別引出し装置により、パスライン位置からオフライン位置に移動させることができるから、ロールスタンドを一括してパスラインからオフラインに移動させる必要もなく、またロールスタンドをスタンド収容部から吊出す必要もないので、ロール隙間の設定変更作業のためのロール隙間の実測を容易に行うことができ、ロール隙間の設定変更作業所要時間の大幅な短縮が可能になる。
【００１７】
本発明の請求項２に係る条鋼圧延用の圧延機によれば、スタンド個別引出し装置は、前記一方のロールスタンドを引出すときには、スタンドシフト台車の移動に支障にならない低位置から上昇されるように構成されているから、スタンドシフト台車を撤去するまでもなく、下降させて低位置にするだけで、スタンドシフト台車により複数のロールスタンドを一括して移動させることができる。
【００１８】
本発明の請求項３に係る条鋼圧延用の圧延機によれば、従来例に係る圧延機の場合と同様に、前記スタンドシフト台車を移動させることにより、各ロールスタンドを一括してパスライン位置からオフライン位置に移動させることができる。これに加えて、第１ロールスタンドと第２ロールスタンドのうち何れか一方のロールスタンドを、設置・撤去自在なスタンド個別引出し装置により、パスライン位置からオフライン位置に移動させることができるから、ロールスタンドを一括してパスラインからオフラインに移動させる必要もなく、またロールスタンドをスタンド収容部から吊出す必要もないので、ロール隙間の設定変更作業のためのロール隙間の実測を容易に行うことができ、ロール隙間の設定変更作業所要時間の大幅な短縮が可能になる。
【発明を実施するための最良の形態】
【００１９】
以下、本発明の実施の形態１および形態２に係る条鋼圧延用の圧延機を、添付図面を参照しながら順次説明する。
【００２０】
本発明の実施の形態１に係る条鋼圧延用の圧延機を、添付図面を順次参照しながら説明する。図１は条鋼圧延用の圧延機の模式的平面図、図２は条鋼圧延用の圧延機を非駆動側から見た模式的側面図、図３は本発明の実施の形態１に係る条鋼圧延用の圧延機のスタンドシフト台車上の垂直ロールスタンドをパスライン位置からオフライン位置に移動させ得る状態を示す模式的構成説明図、図４は条鋼圧延用の圧延機のスタンドシフト台車をパスライン位置からオフライン位置に移動させ得る状態を示す模式的構成説明図、図５は条鋼圧延用の圧延機のスタンドシフト台車をパスライン位置からオフライン位置に移動させた状態を示す説明図である。
【００２１】
なお、本発明の実施の形態１が上記従来例と相違するところは、ロールスタンドを個別に引出すスタンド個別引出し装置を設けた点、およびスライドベースを介してスタンドシフト台車に垂直ロールスタンドを搭載した点にあり、これら以外は上記従来例とほぼ同構成であるから、主として相違する構成について詳述し、同等の構成部位については簡単な説明に止める。
【００２２】
図に示す符号Ｍは、本発明の実施の形態１に係る条鋼圧延用の圧延機である。この圧延機Ｍは、パスラインＰＬ位置を移動する図示しない被圧延材の上流側から下流側に向かって順に、上下一対の水平ロールを有する水平ロールスタンド（第１ロールスタンドに相当する。）１、左右一対の垂直ロールを有する垂直ロールスタンド（第２ロールスタンドに相当する。）２、上下一対の水平ロールを有する水平ロールスタンド３、左右一対の垂直ロールを有する垂直ロールスタンド４が配設されている。これら水平ロールスタンド１，３および垂直ロールスタンド２，４は、従来例に係る圧延機の水平ロールスタンドおよび垂直ロールスタンドと同構成になるものであって、ロールはタイロッドで結合された軸受ブロックにより回転自在に支持されると共に、タイロッドに支持された圧下装置により間隔調整可能に構成されている。
【００２３】
各ロールスタンド１，２，３，４は、パスラインＰＬの左右両側位置で台フレーム５ａから上方に突出するサポート部５ｂを有するスタンドシフト台車５に取付けられている。
前記サポート部５ｂは、パスラインＰＬの方向（被圧延材の移動方向）に５本ずつ設けられることによりスタンドシフト台車５は櫛歯状とされ、隣り合う一対のサポート部５ｂの間のそれぞれにスタンド収容部が形成されている。このスタンド収容部は４個のサポート部５ｂにより取り囲まれた空間であり、これらスタンド収容部に各ロールスタンド１，２，３，４が上方から挿入されている。そして、水平ロールスタンド１，３は機械的固定手段によりスタンドシフト台車５の台フレーム５ａの上に固定され、また垂直ロールスタンド２，４は、台フレーム５ａの上に固定・固定解除自在に搭載される、後述するスライドベース６の上に機械的固定手段により固定されている。
【００２４】
前記スライドベース６は、一方側に引出し用フック部６ａが突設されており、スタンド収容部に固定されるようになっている。より詳しくは、前記スライドベース６の引出し用フック部６ａ側に、本体から左右方向に突出する被クランプ部材６ｂが設けられている。
そして、この被クランプ部材６ｂの引出し用フック部６ａ側の端面のそれぞれが前記サポート部５ｂの基端部側面に付設されてなるベースクランプ装置７のクランプ部材の傾斜面により下向きの押圧力が付与されると共に、引出し用フック部６ａの反対側方向に押圧力が付与されるように構成されている。なお、前記ベースクランプ装置７のクランプ部材は、下方への伸長によりスライドベース６を固定し、上方への縮小により固定を解除するものである。
【００２５】
また、前記スライドベース６のベースクランプ装置７の反対側、かつ隣接する２本のサポート部５ｂの間にストッパ８が設けられており、ベースクランプ装置７のクランプ部材により押圧されたスライドベース６の端部は、ストッパ８の傾斜面によりスタンドシフト台車５の台フレームに押圧されるように構成されている。勿論、スライドベース６のベースクランプ装置７のクランプ部材の傾斜面およびストッパ８の傾斜面に相対する側には、これらベースクランプ装置７、ストッパ８のクランプ部の傾斜面の勾配に対応した勾配を有する傾斜面が形成されている。なお、スライドベース６の下面には、引出し、引戻し力の低減を図るために、図示しないスライドパッドが付設されている。
【００２６】
従って、このスライドベース６の上に固定された垂直ロールスタンド２，４はベースクランプ装置７のクランプ部材の伸長動作によって、スライドベース６を介してスタンドシフト台車５の台フレーム５ａの上に固定されると共に、ベースクランプ装置７のクランプ部材の縮小動作により固定状態が解除され、引出し用フック部６ａの方向、つまりスタンドシフト台車５から離反する方向に引出し得る状態となる。
【００２７】
スタンドシフト台車５の台フレーム５ａの下部側であって、かつパスラインＰＬと直交する方向、つまり進退方向の前後に、床側に敷設されてなる案内レール９を転動する３個ずつの車輪５ｃが設けられている。そして、このスタンドシフト台車５は油圧作動式のシフトシリンダ１０の伸縮ロッドの伸縮によりパスラインＰＬ位置から所定距離外れたオフライン位置の間で往復移動されるように構成されている。また、このスタンドシフト台車５は、床側に据付けられた台座（ソールプレート）１１の上に設けられた台車クランプ装置１２の水平方向に伸縮自在なクランプ部材が台フレームのパスラインＰＬ方向の両側に形成された傾斜した傾斜面に当接することにより、パスラインＰＬ位置において固定されるように構成されている。
【００２８】
さらに、本実施の形態１の場合には、前記スライドベース６を引出すことにより、垂直ロールスタンド２，４を個別にパスラインＰＬ位置から所定距離外れたオフライン位置の間で往復移動させる、後述する同構成の２組のスタンド個別引出し装置２０が、垂直ロールスタンド２，４の対応位置のそれぞれに設けられている。以下、このスタンド個別引出し装置２０の概要構成を説明する。
【００２９】
前記スタンド個別引出し装置２０は、下記のように構成されている。即ち、床側に据付けられた据付台フレーム２１の上に所定の間隔を隔てて複数セットのガイド機構２２が突設され、これらガイド機構２２のガイドロッド２２ａの頂部に昇降台フレーム２４が架設されている。また、前記据付台フレーム２１のガイド機構２２，２２の間にジャッキ装置２３が設けられており、このジャッキ装置２３のラム２３ａの伸縮作動により昇降台フレーム２４が、前記スタンドシフト台車５がパスラインＰＬ位置からオフライン位置への移動を妨げない低位置と、前記垂直ロールスタンド２，４が固定されたスライドベース６を引出し得る高位置との間で昇降されるように構成されている。なお、ジャッキ装置２３は油圧作動式であっても、機械作動式の何れであっても良く、ジャッキ装置２３の駆動構成に限定されるものではない。
【００３０】
また、前記昇降台フレーム２４の上に、前記スライドベース６を摺動可能に案内するガイド部（図示省略）が形成されると共に、引出し用フック部６ａの先端に設けられたピン穴に挿脱自在な連結ピンを介して連結される連結穴を備え、昇降台フレーム２４の長手方向に往復移動する引出しブロック２５が設けられている。この引出しブロック２５は昇降台フレーム２４の前記台座（ソールプレート）１１から離れた側の端部に設けられてなる減速機付モータ２６により可逆回転されるネジロッド２７が螺着されており、ネジロッド２７の可逆回転により往復動されるように構成されている。なお、ネジロッド２７は角ネジ、台形ネジ、ボールネジの何れであっても良い。
【００３１】
ところで、本実施の形態１に係る条鋼圧延用の圧延機の場合には、上記のとおり、２セットのスタンド個別引出し装置２０が設けられている。しかしながら、このスタンド個別引出し装置２０を、据付・撤去自在な構成にすれば、クレーンなどを用いて垂直ロールスタンド２の対応位置と、垂直ロールスタンド４の対応位置との間で自在に移動させることができるので、スタンド個別引出し装置２０は１組用意されていれば、それなりの効果を得ることができる。
【００３２】
以下、上記実施の形態１に係る条鋼圧延用の圧延機Ｍの作用態様を説明する。即ち、本実施の形態１に係る圧延機Ｍでは、シフトシリンダ１０の伸縮ロッドの伸縮作動によりスタンドシフト台車５を案内レール９に沿って往復移動させることにより、各ロールスタンド１，２，３，４を一括して圧延を行うパスラインＰＬ位置と、このパスラインＰＬ位置から外れたオフライン位置との範囲で往復移動させることができる。前記スタンドシフト台車５のオフライン位置への移動に際しては、ジャッキ装置２３のラム２３ａの伸縮作動により、スタンド個別引出し装置２０の昇降台フレーム２４を、スタンドシフト台車５の移動に支障のない低位置に下降させた状態で行われる。
【００３３】
上記実施の形態１に係る圧延機Ｍによれば、各ロールスタンド１，２，３，４がスタンドシフト台車５の台フレーム５ａに載置固定され、ロールの軸受ブロックがタイロッドにより連結されているので、従来例と同様に、サポート部は荷重を受けることがないから高強度にする必要がなく、パスラインＰＬ方向の寸法を大きくする必要がない。また、スタンドシフト台車５をパスラインＰＬの横方向に移動させることにより、各ロールスタンド１，２，３，４も一挙に移動するため、各ロールスタンド１，２，３，４への配管類は、その配管源からスタンドシフト台車５の台フレーム５ａまで単一のものとすることができ、配管設置スペースを小さくすることができるので、圧延機のコンパクト化を図ることができるという効果を得るころができる。
【００３４】
また、各ロールスタンドのパスラインＰＬ位置からオフライン位置への移動に際しては、サポート部５ｂによる支持の解除や再支持を各ロールスタンド毎に行う必要がないので、交換や保守作業の迅速化が図れる。また、ロールスタンドをパスラインＰＬ位置からオフライン位置へ移動させ、クレーン等でスタンド収容部から吊上げる際、ロールスタンドはサポート部に支持されるものではないため、容易に分解するようなことがなく、またスタンド収容部に上方から挿入する際はサポート部５ｂが案内ガイドとして機能するため、挿入作業の迅速化が図れる。さらに、被圧延材に咬止まりが生じた場合、圧延機の前後で被圧延材を切断すれば、スタンドシフト台車のオフライン位置への移動により被圧延材をロールスタンドと共に移動させることができる。そのため、作業スペースに余裕のある位置でロールスタンド間の被圧延材を切断することができ、被圧延材の切断作業の容易化を図ることができる。
【００３５】
一方、本実施の形態１に係る圧延機Ｍでは、スタンド個別引出し装置２０によりスタンドシフト台車５に搭載されている垂直ロールスタンド２，４を個別に、圧延を行うパスラインＰＬ位置と、このパスラインＰＬ位置から外れたオフライン位置との範囲で往復移動させることができる。
【００３６】
即ち、本実施の形態１に係る圧延機Ｍでは、ジャッキ装置２３のラム２３ａを伸長させることにより、昇降台フレーム２４を所定の高位置に上昇させる。そして、減速機付モータ２６の駆動によりネジロッド２７を回転させることにより、連結穴がスライドベース６の引出し用フック部６ａの先端に設けられたピン穴に合致する位置まで引出しブロック２５を移動させる。次いで、図示しない連結ピンにより引出しブロック２５の連結穴をスライドベース６の引出し用フック部６ａに連結した後、ベースクランプ装置７のクランプ部材を縮小させてスライドベース６のスタンドシフト台車５との固定を解除する。
【００３７】
上記のようにしてスライドベース６の固定が解除されると、減速機付モータ２６の駆動によりネジロッド２７を逆回転させることにより、引出しブロック２５をスタンドシフト台車５のスタンド収容部から離反する方向に移動させれば、垂直ロールスタンド２，４がスタンド個別引出し装置２０の昇降台フレーム２４に形成されたガイド部に案内されて圧延を行うパスラインＰＬ位置からオフライン位置に摺動移動することとなる。なお、垂直ロールスタンド２，４をスタンドシフト台車５の所定のスタンド収容部に戻す場合は、上記と逆の手順により操作を行えば良い。
【００３８】
本実施の形態１に係る圧延機Ｍでは、上記のとおり、スタンド個別引出し装置２０によりスタンドシフト台車５に搭載されている垂直ロールスタンド２，４を個別に、パスラインＰＬ位置からオフライン位置に移動させることにより、ロールスタンド同士の間に十分のスペースを確保することができる。従って、本実施の形態１に係る圧延機Ｍによれば、被圧延材の圧延サイズの変更に際しての中間、仕上列のカリバの大幅なサイズ変更に付随してロール隙間を確認し、さらに被圧延材の圧延の安定化・品質向上のためにガイドの微調整を行う場合、従来例のように、ロールスタンドをスタンド収容部から吊り出す必要もないので、ロール隙間の設定変更作業のためのロール隙間の実測を容易に行うことができ、ロール隙間の設定変更作業所要時間の大幅な短縮が可能になる優れた効果を得ることができる。
【００３９】
次に、本発明の実施の形態２に係る条鋼圧延用の圧延機を、添付図面を参照しながら説明する。図６は本発明の実施の形態２に係る条鋼圧延用の圧延機のスタンドシフト台車上の垂直ロールスタンドをパスライン位置からオフライン位置に移動させ得る状態を示す模式的構成説明図である。なお、本発明の実施の形態２が上記実施の形態１と相違するところは、スタンド個別引出し装置の構成の相違にあり、これ以外の構成は上記実施の形態１と全く同構成であるから、スタンド個別引出し装置に係る説明に止める。
【００４０】
図に示す符号３０は、本発明の実施の形態２に係る条鋼圧延用の圧延機のスタンド個別引出し装置であり、このスタンド個別引出し装置３０は、下記のように構成されている。
即ち、床側に設置・撤去自在に据付けることができる据付台フレーム３１の上に所定の間隔を隔てて複数の支持部材３２が突設され、これら支持部材３２の頂部に固定台フレーム２３が架設されている。
【００４１】
前記固定台フレーム３３の高さは、垂直ロールスタンド２，４が固定されたスライドベース６を引出し得る高さに設定されている。また、固定台フレーム３３の上に、前記スライドベース６を摺動可能に案内するガイド部（図示省略）が形成されると共に、引出し用フック部６ａの先端に設けられたピン穴に挿脱自在な連結ピンを介して連結される連結穴を備え、固定台フレーム３３の長手方向に往復移動する引出しブロック３４が設けられている。この引出しブロック３４は固定台フレーム３３の前記台座１１から離れた側の端部に設けられてなる減速機付モータ３５により可逆回転されるネジロッド３６が螺着されており、ネジロッド３６の可逆回転により往復動されるように構成されている。
【００４２】
以上の説明から良く理解されるように、本実施の形態２に係る圧延機は、スタンド個別引出し装置３０の固定台フレーム３３が固定式であって、設置・撤去自在であることと、昇降できなことが上記実施の形態１と相違するだけである。従って、本実施の形態２に係る条鋼圧延用の圧延機の場合には、垂直ロールスタンド２，４の対応位置に設置した後に、垂直ロールスタンド２，４をスタンドシフト台車５のスタンド収容部からスライドベース６を介して個別に引出すと共に、スタンドシフト台車５のスタンド収容部に戻すことができる。従って、本実施の形態２に係る圧延機によれば、スタンド個別引出し装置３０の設置・撤去作業があるが、このスタンド個別引出し装置３０の設置・撤去作業は操業中に実施することができるので、設置・撤去作業所要時間は実質的に上記実施の形態１と同様である。従って、本実施の形態２に係る圧延機によれば、上記実施の形態１に係る圧延機の場合とほぼ同等の効果を得ることができる。
【００４３】
なお、以上では、スタンド個別引出し装置により垂直ロールスタンドのみを個別に移動させる場合を例として説明した。しかしながら、これに限らず、例えばスタンド個別引出し装置により水平ロールスタンドのみを個別に移動させても同等の効果を得ることができるので、圧延機の形態は上記実施の形態に限定されるものではない。
【図面の簡単な説明】
【００４４】
【図１】本発明の実施の形態１に係り、条鋼圧延用の圧延機の模式的平面図である。
【図２】本発明の実施の形態１に係り、条鋼圧延用の圧延機を非駆動側から見た模式的側面図である。
【図３】本発明の実施の形態１に係り、条鋼圧延用の圧延機のスタンドシフト台車上の垂直ロールスタンドをパスライン位置からオフライン位置に移動させ得る状態を示す模式的構成説明図である。
【図４】本発明の実施の形態１に係り、条鋼圧延用の圧延機のスタンドシフト台車をパスライン位置からオフライン位置に移動させ得る状態を示す模式的構成説明図である。
【図５】本発明の実施の形態１に係り、条鋼圧延用の圧延機のスタンドシフト台車をパスライン位置からオフライン位置に移動させた状態を示す説明図である。
【図６】本発明の実施の形態２に係り、条鋼圧延用の圧延機のスタンドシフト台車上の垂直ロールスタンドをパスライン位置からオフライン位置に移動させ得る状態を示す模式的構成説明図である。
【図７】従来例に係る条鋼圧延用の圧延機の断面正面図である。
【図８】従来例に係る条鋼圧延用の圧延機の一部破断側面図である。
【符号の説明】
【００４５】
１…水平ロールスタンド（第１ロールスタンド）
２…垂直ロールスタンド（第２ロールスタンド）
３…水平ロールスタンド
４…垂直ロールスタンド
５…スタンドシフト台車，５ａ…台フレーム，５ｂ…サポート部，５ｃ…車輪
６…スライドベース，６ａ…引出し用フック部，６ｂ…被クランプ部材
７…ベースクランプ装置
８…ストッパ
９…案内レール
１０…シフトシリンダ
１１…台座（ソールプレート）
１２…台車クランプ装置
２０…スタンド個別引出し装置，２１…据付台フレーム，２２…ガイド機構，２２ａ…ガイドロッド，２３…ジャッキ装置，２３ａ…ラム，２４…昇降台フレーム，２５…引出しブロック，２６…減速機付モータ，２７…ネジロッド
３０…スタンド個別引出し装置，３１…据付台フレーム，３２…支持部材，３３…固定台フレーム，３４…引出しブロック，３５…減速機付モータ，３６…ネジロッド
Ｍ…圧延機
ＰＬ…パスライン
【図１】
2008200717.tif 000003
【図２】
2008200717.tif 000004
【図３】
2008200717.tif 000005
【図４】
2008200717.tif 000006
【図５】
2008200717.tif 000007
【図６】
2008200717.tif 000008
【図７】
2008200717.tif 000009
【図８】
2008200717.tif 000010